(57)【特許請求の範囲】
【請求項１】
それぞれ信号入力用接栓を介して受信信号が入力される少なくとも２系統の信号処理部を備える基板上に形成された衛星放送受信用フロントエンドであって、
各信号処理部を板金によりシールドするシールド機構と、
各信号処理部の隣接部分に上記板金にて形成した空間部を有し、
各信号処理部の隣接部分の一部が上記空間部において個別の板金によりシールドされ、上記空間部に対応する基板の一部を切り欠くことにより各信号処理部の基板上の隣接部分に切欠部が形成されていることを特徴とする衛星放送受信用フロントエンド。
【請求項２】
各信号処理部は、それぞれ信号入力用接栓を介して受信信号が入力されるＲＦ回路部を備え、各信号処理部のＲＦ回路部が、各ＲＦ回路部の基板上の隣接部分に形成された切欠部において、個別の板金によりシールドされていることを特徴とする請求項１記載の衛星放送受信用フロントエンド。
【請求項３】
各信号処理部は、それぞれ信号入力用接栓を介して受信信号が入力されるＲＦ回路部と、上記ＲＦ回路部から受信信号が供給されるチューナ部を備え、各信号処理部のチューナ部が、各チューナ部の基板上の隣接部分に形成された切欠部において、個別の板金によりシールドされていることを特徴とする請求項１記載の衛星放送受信用フロントエンド。
【請求項４】
各信号処理部は、それぞれ信号入力用接栓を介して受信信号が入力されるＲＦ回路部と、上記ＲＦ回路部から受信信号が供給されるチューナ部を備え、各信号処理部のＲＦ回路部及びチューナ部が、各ＲＦ回路部及びチューナ部の基板上の隣接部分に形成された切欠部において、個別の板金によりシールドされていることを特徴とする請求項１記載の衛星放送受信用フロントエンド。
【発明の詳細な説明】
【０００１】
【発明の属する技術分野】
本発明は、衛星放送受信用フロントエンドに関し、特に、それぞれ信号入力用接栓を介して受信信号が入力される少なくとも２系統の信号処理部を備える基板上に形成された衛星放送受信用フロントエンドに関する。
【０００２】
【従来の技術】
近年、高周波用集積回路技術の発展に伴い、歪みやノイズの特性が改善され、衛星放送受信用フロントエンドの信号入力部も比較的に簡単な回路構成で実現できるようになっている。
【０００３】
一般的な衛星放送受信システムでは、例えば図６に示すように、１２ＧＨｚ帯の衛星電波は先ずＢＳアンテナ１１０によって集められ、ＢＳコンバータ１２０によって１ＧＨｚ帯（９５０〜２１５０ＭＨｚ）の第１中間周波数信号に周波数変換された後にフロントエンド１３０に供給される。フロントエンド１３０では、ＲＦ回路部１３１において入力された第１中間周波数信号のレベルや帯域などを調え、次にチューナー部１３２において所望の信号帯域を選択して、その後、復調部３３においてトランスポートストリーム（TS:Transport Stream）信号を復調して、ＴＳ信号を出力する。
【０００４】
この図６に示したフロントエンド１３０は、１入力１出力の構成となっている。
【０００５】
現在の衛星放送受信装置においては、ユーザが選択した単一コンテンツを視聴、若しくは録画することを実現している。しかし、今後は視聴コンテンツとは異なるコンテンツの録画、若しくは異なるコンテンツの複数画面による視聴などの用途が望まれている。
【０００６】
例えば、最近のデジタル衛星放送用受信機では、ハードディスクドライブ（HDD：Hard Disc Drive）を搭載することにより、例えば、第１のフロントエンドを介して受信される画像を見ながら、第２のフロントエンドを介して異なる画像を受信してＨＤＤに取り込む等の使用方法が提案されており、２つの信号処理を同時に行う仕様が求められている。
【０００７】
このような仕様に対応する複数入力複数出力の機能をもつ衛星放送受信用フロントエンドの例として、２入力２出力に対応するフロントエンドを図７及び図８に示す。
【０００８】
なお、図７及び図８に示す例においては、図６に示したフロントエンド１３０の構成部品と同じ部品について、第１のフロントエンド１３０Ａの構成要素には同一番号にａを付加して示し、第２のフロントエンド１３０Ｂの構成要素には同一番号にｂを付加して示してある。
【０００９】
図７は、１入力１出力の復調部１３３ａ，１３３ｂを採用した場合を示し、図８は、２入力２出力の機能を有する復調部１３３ｃを採用した場合を示している。
【００１０】
【発明が解決しようとする課題】
しかしながら、上述の如き複数系統の信号処理部を備える衛星放送受信用フロントエンドでは、複数系統の信号処理部間における各受信信号の相互干渉が問題となる。
【００１１】
そこで、本発明の目的は、このような従来の問題点に鑑み、複数系統の信号処理部間における各受信信号の相互干渉を筐体及び基板構造により防止し、複数のチューナを必要とする衛星放送用受信システムに適した小型でレイアウトしやすい衛星放送受信用フロントエンドを提供することにある。
【００１２】
【課題を解決するための手段】
本発明は、それぞれ信号入力用接栓を介して受信信号が入力される少なくとも２系統の信号処理部を備える基板上に形成された衛星放送受信用フロントエンドであって、各信号処理部を板金によりシールドするシールド機構と、各信号処理部の隣接部分に上記板金にて形成した空間部を有し、各信号処理部の隣接部分の一部が上記空間部において個別の板金によりシールドされ、上記空間部に対応する基板の一部を切り欠くことにより各信号処理部の基板上の隣接部分に切欠部が形成されていることを特徴とする。
【００１４】
また、本発明に係る衛星放送受信用フロントエンドにおける各信号処理部は、それぞれ信号入力用接栓を介して受信信号が入力されるＲＦ回路部を備え、各信号処理部のＲＦ回路部が、各ＲＦ回路部の基板上の隣接部分に形成された切欠部において、個別の板金によりシールドされる。
【００１５】
また、本発明に係る衛星放送受信用フロントエンドにおける各信号処理部は、それぞれ信号入力用接栓を介して受信信号が入力されるＲＦ回路部と、上記ＲＦ回路部から受信信号が供給されるチューナ部を備え、各信号処理部のチューナ部が、各チューナ部の基板上の隣接部分に形成された切欠部において、個別の板金によりシールドされる。
【００１６】
また、本発明に係る衛星放送受信用フロントエンドおける各信号処理部は、それぞれ信号入力用接栓を介して受信信号が入力されるＲＦ回路部と、上記ＲＦ回路部から受信信号が供給されるチューナ部を備え、各信号処理部のＲＦ回路部及びチューナ部が、各ＲＦ回路部及びチューナ部の基板上の隣接部分に形成された切欠部において、個別の板金によりシールドされる。
【００１７】
【発明の実施の形態】
以下、本発明の発明の実施の形態について、図面を参照して詳細に説明する。
【００１８】
本発明は、例えば図１及び図２に示すような構成の衛星放送受信用フロントエンド１０に適用される。
【００１９】
図１及び図２は、シールドケースの蓋を外して示した衛星放送受信用フロントエンド１０の要部平面図及び外観斜視図である。
【００２０】
この衛星放送受信用フロントエンド１０は、基板１１上に形成された２系統の信号処理部２０Ａ，２０Ｂを備える２入力２出力のフロントエンドであって、図示しないパラボラアンテナに同軸ケーブルを介して接続するための２個の信号入力用Ｆ型接栓１２Ａ，１２Ｂを備え、それぞれ信号入力用Ｆ型接栓１２Ａ，１２Ｂを介して受信信号が２系統の信号処理部２０Ａ，２０Ｂに入力されるようになっている。
【００２１】
この実施の形態において、第１の信号入力用Ｆ型接栓１２Ａは、例えば１１０°ＣＳ放送あるいはＢＳデジタル放送の受信用の図示しない第１のパラボラアンテナに同軸ケーブルを介して接続される。そして、第１の信号処理部２０Ａには、上記第１のパラボラアンテナに設けられているＢＳコンバータによって１ＧＨｚ帯（９５０〜２１５０ＭＨｚ）に周波数変換された第１中間周波数信号が上記第１の信号入力用Ｆ型接栓１２Ａを介して入力される。
【００２２】
第１の信号処理部２０Ａは、上記第１の信号入力用Ｆ型接栓１２Ａを介して入力される第１中間周波数信号のレベルや帯域などを調えるＲＦ回路部２１Ａ、上記ＲＦ回路部２１Ａから供給される第１中間周波数信号から所望のチャンネルの信号帯域を選択するチューナ部２２Ａ、チューナ部２２Ａにより選択された所望のチャンネルからトランスポートストリーム（TS:Transport Stream）信号を復調して出力する復調部２３Ａからなる。
【００２３】
また、第２の信号入力用Ｆ型接栓１２Ｂは、例えば有料ＢＳデジタル放送受信用の図示しない第２のパラボラアンテナに同軸ケーブルを介して接続される。そして、第２の信号処理部２０Ｂには、上記第２のパラボラアンテナに設けられているＢＳコンバータによって１ＧＨｚ帯（９５０〜２１５０ＭＨｚ）に周波数変換された第１中間周波数信号が上記第２の信号入力用Ｆ型接栓１２Ｂを介して入力される。
【００２４】
第２の信号処理部２０Ｂは、上記第２の信号入力用Ｆ型接栓１２Ｂを介して入力される第１中間周波数信号のレベルや帯域などを調えるＲＦ回路部２１Ｂ、上記ＲＦ回路部２１Ｂから供給される第１中間周波数信号から所望のチャンネルの信号帯域を選択するチューナ部２２Ｂ、チューナ部２２Ｂにより選択された所望のチャンネルからトランスポートストリーム（TS:Transport Stream）信号を復調して出力する復調部２３Ｂからなる。
【００２５】
この衛星放送受信用フロントエンド１０は、上記第１及び第２の信号処理部２０Ａ，２０Ｂを板金によりシールドするシールド機構３０を備える。
【００２６】
上記シールド機構３０は、板金を折り曲げて形成した外筐３１と、各信号処理部２０Ａ，２０Ｂの間を分離する仕切り板３２と、各信号処理部２０Ａ，２０ＢのＲＦ回路部２１Ａ，２１Ｂ、チューナ部２２Ａ，２２Ｂ、復調部２３Ａ，２３Ｂの間を分離する仕切り板３３Ａ，３３Ｂ、上記外筐３１を閉じる蓋体３４にて構成されている。
【００２７】
そして、この実施の形態では、各信号処理部２０Ａ，２０ＢのＲＦ回路部２１Ａ，２１Ｂの隣接部分に上記板金を折り曲げて形成した空間部３５を有し、上記ＲＦ回路部２１Ａ，２１Ｂの隣接部分が上記空間部３５において個別の板金３０Ａ，３０Ｂによりシールドされている。また、上記空間部３５に対応する基板１１の一部を切り欠くことにより、各信号処理部２０Ａ，２０ＢのＲＦ回路部２１Ａ，２１Ｂの基板１１上の隣接部分に切欠部１５が形成されている。
【００２８】
このように各信号処理部２０Ａ，２０ＢのＲＦ回路部２１Ａ，２１Ｂの隣接部分に上記板金を折り曲げて空間部３５を形成して、上記ＲＦ回路部２１Ａ，２１Ｂを上記空間部３５により空間的に分離するとともに個別の板金３０Ａ，３０Ｂによりシールドすることによって、複数のＲＦ回路部２１Ａ，２１Ｂ間における同一の帯域、若しくは非常に近接した帯域の信号に関する相互干渉を軽減し、干渉妨害を低く抑えることができる。また、上記空間部３５を形成することにより、上記外筐３１の外周長が延長されるので、上記外筐３１と蓋体３４の接触面積を大きくすることができるので、シールド効果を高めることができる。
さらに、上記空間部３５に対応する基板１１の一部を切り欠いて、各信号処理部２０Ａ，２０ＢのＲＦ回路部２１Ａ，２１Ｂの基板１１上の隣接部分に切欠部１５を形成することにより、複数のＲＦ回路部２１Ａ，２１Ｂ間における同一の帯域、若しくは非常に近接した帯域の信号に関する基板１１を介しての相互干渉を軽減して、干渉妨害をさらに低く抑えることができる。
【００２９】
なお、上記衛星放送受信用フロントエンド１０において、１入力１出力の復調部２３Ａ，２３Ｂに替えて２入力２出力の機能を有する復調部を採用することもできる。また、図３に示す衛星放送受信用フロントエンド１０’のように、上記ＲＦ回路部２１Ａ，２１Ｂをシールドする板金３０Ａ，３０Ｂをさらに折り曲げて上記切欠部１５を板金により閉じるようにすることもできる。
【００３０】
ここで、上述の実施の形態では、各信号処理部２０Ａ，２０ＢのＲＦ回路部２１Ａ，２１Ｂの隣接部分に空間部３５及び切欠部１５を形成するようにしたが、本発明は、この実施の形態のみに限定されるものでなく、例えば、図４に示すように衛星放送受信用フロントエンド１０Ａのように、各信号処理部２０Ａ，２０ＢのＲＦ回路部２１Ａ，２１Ｂ及びチューナ部２２Ａ，２２Ｂの隣接部分に空間部３５Ａ及び切欠部１５Ａを形成するようにしたり、また、図５に示すように衛星放送受信用フロントエンド１０Ｂのように、各信号処理部２０Ａ，２０Ｂのチューナ部２２Ａ，２２Ｂの隣接部分に空間部３５Ｂ及び切欠部１５Ｂを形成するようにしても、相互干渉を軽減して、干渉妨害を低く抑えることができる。
【００３１】
なお、図４及び図５に示した衛星放送受信用フロントエンド１０Ａ，１０Ｂでは、上述の衛星放送受信用フロントエンド１０と共通の構成要素について、同一指示符号を図４及び図５中に付し、その詳細な説明を省略する。
【００３２】
図４に示した衛星放送受信用フロントエンド１０Ａでは、各信号処理部２０Ａ，２０ＢのＲＦ回路部２１Ａ，２１Ｂ及びチューナ部２２Ａ，２２Ｂが、それらの隣接部分に形成された長尺な空間部３５Ａ及び切欠部１５Ａにより空間的に分離されているとともに個別の板金３０Ａ，３０Ｂによりシールドされている。なお、この例のように長尺な空間部３５Ａ及び切欠部１５Ａを設ける場合には、補強板３６により外筐３１を補強してもよい。また、上記外筐３１を構成する板金を折り曲げて空間部３５Ａを形成するのではなく、上記板金３０Ａ，３０Ｂに替えて個別の仕切り板３２ａ，３２ｂにより上記ＲＦ回路部２１Ａ，２１Ｂ及びチューナ部２２Ａ，２２Ｂをシールドするようにしてもよい。
【００３３】
また、図５に示す衛星放送受信用フロントエンド１０Ｂでは、各信号処理部２０Ａ，２０Ｂのチューナ部２２Ａ，２２Ｂが、その隣接部分に形成された空間部３５Ｂ及び切欠部１５Ｂにより空間的に分離されるとともに個別の仕切り板３２Ａ，３２Ｂによりシールドされている。
【００３４】
【発明の効果】
上述のように、本発明では、それぞれ信号入力用接栓を介して受信信号が入力される少なくとも２系統の信号処理部を備える基板上に形成された衛星放送受信用フロントエンドにおいて、各信号処理部をシールドするシールド機構を構成する板金にて上記信号処理部の隣接部分の一部に空間部を形成することによって、上記信号処理部を空間的に分離するとともにし、各信号処理部の隣接部分の一部を上記空間部において個別の板金によりシールドすることによって、複数の信号処理部間における同一の帯域、若しくは非常に近接した帯域の信号に関する相互干渉を軽減し、干渉妨害を低く抑えることができる。さらに、上記空間部に対応する基板の一部を切り欠いて切欠部を形成することにより、複数の信号処理部間における同一の帯域、若しくは非常に近接した帯域の信号に関する相互干渉を軽減し、干渉妨害をさらに低く抑えることができる。
【００３５】
したがって、本発明によれば、板金による仕切りのみの場合と比べ、複数の信号処理部間における同一の帯域、若しくは非常に近接した帯域の信号に関する相互干渉を軽減し、干渉妨害を低く抑えることができ、複数のチューナを必要とする衛星放送用受信システムに適した小型でレイアウトしやすい衛星放送受信用フロントエンドを提供することができる。本発明に係る複数入力対応衛星放送受信用フロントエンドを使用することにより、１入力のみ対応の衛星放送受信フロントエンドを複数使用する必要がなくなり、設置時の占有容積の低減化、及びコストの低減が可能となる。
【図面の簡単な説明】
【図１】本発明に係る衛星放送受信用フロントエンドのシールドケースの蓋を外して示した要部平面図である。
【図２】上記衛星放送受信用フロントエンドのシールドケースの蓋を外して示した外観斜視図である。
【図３】本発明に係る衛星放送受信用フロントエンドのシールドケースの蓋を外して示した要部平面図である。
【図４】本発明に係る衛星放送受信用フロントエンドのシールドケースの蓋を外して示した要部平面図である。
【図５】本発明に係る衛星放送受信用フロントエンドのシールドケースの蓋を外して示した要部平面図である。
【図６】１入力１出力の従来の衛星放送受信用フロントエンドの基本的な構成を示すブロック図である。
【図７】２入力２出力に対応する従来の衛星放送受信用フロントエンドの基本的な構成を示すブロック図である。
【図８】２入力２出力に対応する従来の衛星放送受信用フロントエンドの基本的な構成を示すブロック図である。
【符号の説明】
１０，１０’，１０Ａ，１０Ｂ  衛星放送受信用フロントエンド、１１  基板、１２Ａ，１２Ｂ  信号入力用Ｆ型接栓、１５，１５Ａ，１５Ｂ  切欠部、２０Ａ，２０Ｂ  信号処理部、２１Ａ，２１Ｂ  ＲＦ回路部、２２Ａ，２２Ｂ  チューナ部、２３Ａ，２３Ｂ  復調部、３０  シールド機構、３０Ａ，３０Ｂ  板金、３１  外筐、３２，３２ａ，３２ｂ，３２Ａ，３２Ｂ，３３Ａ，３３Ｂ  仕切り板、３４  蓋体、３５，３５Ａ，３５Ｂ  空間部
【図１】
0004009941.tif 000002
【図２】
0004009941.tif 000003
【図３】
0004009941.tif 000004
【図４】
0004009941.tif 000005
【図５】
0004009941.tif 000006
【図６】
0004009941.tif 000007
【図７】
0004009941.tif 000008
【図８】
0004009941.tif 000009